(57)【要約】【課題】  静電気除去効率に優れ、ブラシ掛けすることにより付着した塵埃や髪の毛などを取り除き易く、またブラシ掛けした物体には静電気が無い状態が続き、再び塵埃や髪の毛などが付着し難くし、しかも本来の用途に応じたブラシ機能が充分に発揮されるようにした静電気除去ブラシを提供する。【解決手段】  ブラシの用途に応じたブラシ毛１に静電気除去繊維２を配合し、これらを均一に混ぜ合わせた毛束３を、ブラシ台４の複数個所に適宜間隔をおいて植設したものとしている。【選択図】        図１
0003110513.tif 000002
【実用新案登録請求の範囲】
【請求項１】
ブラシの用途に応じたブラシ毛（１）に静電気除去繊維（２）を配合し、これらを均一に混ぜ合わせた毛束（３）を、ブラシ台（４）に植設したものとしたことを特徴とする静電気除去ブラシ。
【請求項２】
前記静電気除去繊維（２）のブラシ毛（１）への配合率を、約１〜５０重量％としたことを特徴とする請求項１記載の静電気除去ブラシ。
【考案の詳細な説明】
【技術分野】
【０００１】
この考案は、衣服、ＯＡ機器、車のダッシュボード、ペット動物、家具などあらゆる物体の静電気を除去し、それらに付いていた塵埃や髪の毛などを取り除き易くした静電気除去ブラシに関するものである。
【背景技術】
【０００２】
従来、この種の静電気除去ブラシには、例えば図７に示したように、ブラシ台１４に複数列植設したブラシの用途に応じたブラシ毛１１ａの毛束１１の所々に静電気除去繊維１２ａの毛束１２を植設したものが存在する。また、この種の静電気除去ブラシには、例えば図８に示したように、ブラシ台１４に複数列植設したブラシの用途に応じたブラシ毛１１ａの毛束１１の中央の列や両端の列など、数列または一列を静電気除去繊維１２ａの毛束１２としたものが存在する。
【０００３】
さらに、この種の静電気除去ブラシには、例えば図９に示したように、フッ素系樹脂、または黒鉛を含む油脂剤により柔軟性が付与された多繊条炭素繊維束２１を、導電性基材２２に植毛してなるものが存在する（特許文献１）。
【特許文献１】実公昭５６−２０９９１号公報（第１頁、図１）
【考案の開示】
【考案が解決しようとする課題】
【０００４】
しかしながら、上記従来の図７、８に示した静電気除去ブラシでは、衣服、ＯＡ機器、車のダッシュボード、ペット動物、家具などに付着した塵埃や髪の毛などを取り除くためにブラシ掛けすると、静電気除去繊維１２ａの毛束１２の接触により静電気を除去した後に、ブラシ毛の毛束１１の接触により再び静電気を発生させてしまうので静電気除去効率が非常に悪く、付着した塵埃や髪の毛などを取り除き難いという課題を有していた。
【０００５】
さらに、上記従来の図７〜９に示した静電気除去ブラシでは、静電気除去繊維１２ａの毛束１２や多繊条炭素繊維束２１は土台となる本来の用途に応じたブラシ毛１１ａの毛束１１とは違ってブラシ掛け作用が弱く、本来のブラシ機能が充分に発揮されないという課題を有していた。
【０００６】
そこで、この考案は、上記従来の課題を解決するものであり、静電気除去効率に優れ、ブラシ掛けすることにより付着した塵埃や髪の毛などを取り除き易く、またブラシ掛けした物体には静電気が無い状態が続き、再び塵埃や髪の毛などが付着し難くし、しかも本来の用途に応じたブラシ機能が充分に発揮されるようにした静電気除去ブラシを提供することを目的としてなされたものである。
【課題を解決するための手段】
【０００７】
そのため、この考案の静電気除去ブラシは、ブラシの用途に応じたブラシ毛１に静電気除去繊維２を配合し、これらを均一に混ぜ合わせた毛束３を、ブラシ台４に植設したものとしている。
【０００８】
そして、この考案の静電気除去ブラシでは、前記静電気除去繊維２のブラシ毛１への配合率を、約１〜５０重量％としている。
【考案の効果】
【０００９】
この考案の静電気除去ブラシは、以上に述べたように構成されているので、静電気除去効率に優れ、ブラシ掛けすることにより付着した塵埃や髪の毛などを取り除き易く、またブラシ掛けした物体には静電気が無い状態が続き、再び塵埃や髪の毛などが付着し難くし、しかも本来の用途に応じたブラシ機能が充分に発揮されるものとなる。
【考案を実施するための最良の形態】
【００１０】
以下、この考案の静電気除去ブラシの実施の形態を、図面に基づいて詳細に説明する。
【００１１】
この考案の静電気除去ブラシは、図１〜５に示したように、ブラシの用途に応じたブラシ毛１に静電気除去繊維２を配合し、これらを均一に混ぜ合わせた毛束３を、ブラシ台４の複数個所に適宜間隔をおいて植設したものとしている。すなわち、この考案の静電気除去ブラシでは、前記毛束３を、ブラシ台４のほぼ全体に渡って、縦並び、横並び、その他任意の配置で適宜間隔をおいて植設したものとしている。また、この考案の静電気除去ブラシは、例えば図５に示したように、外周の列のみをブラシの用途に応じたブラシ毛１とすることができる。これは、静電気除去繊維２がダーク色であるため、毛束３がダーク色に見えて汚れているように思われる場合があるので、外周の列をブラシ毛１とすることにより、ブラシを横から見た場合に、本来のブラシ毛１の色が見えるようにし、毛束３が見えないようにして、汚れているように思われないようにするためである。さらに、この考案の静電気除去ブラシは、例えば図６に示したように、ブラシ毛１を静電気除去繊維２より上方に突出するようにして、ブラシ台４に植設したものとしてもよい。図示したものは、毛束３内の一本のブラシ毛１を静電気除去繊維２より上方に突出するようにしているが、複数本であってもよいことはいうまでもない。このようにすると、この考案の静電気除去ブラシを頭髪用とした場合、ブラッシング時に、突出したブラシ毛１が頭皮を心地よく刺激して、マッサージ効果を得ることができる。なお、前記毛束３は、ブラシ台４の複数個所に植設することなく、ブラシ台４の１個所に植設しても、ブラシ台４の全体に毛束条に植設してもよい。
【００１２】
この考案の静電気除去ブラシにおけるブラシの用途としては、衣服用、ＯＡ機器用、車のダッシュボード用、ペット動物用、家具用などが挙げられるが、歯科用、風呂用など水使用の用途は除かれる。なお、この考案の静電気除去ブラシは、頭髪用としても使用可能であることはいうまでもない。
【００１３】
ブラシ毛１としては、例えば、馬毛、豚毛、猪毛などの動物毛、ナイロン、ポリエステル、ポリエチレンなどの合成樹脂毛、またはこれら動物毛と合成樹脂毛の混毛とするなどブラシの用途に応じたものが用いられる。
【００１４】
静電気除去繊維２としては、例えば、銅、ニッケル、ステンレス鋼などの導電性の金属繊維、銅などの金属を蒸着してなる金属蒸着繊維、一価の銅イオンを吸着させた化学繊維（例えば、アクリル繊維、ナイロン繊維）内に金属銅を還元析出してなる繊維、または炭素複合繊維などが用いられる。なお、前記静電気除去繊維２は、配合するブラシ毛１の色彩と同系色のものとすれば、この静電気除去繊維２が目立たないものとなって好ましく、また配合するブラシ毛１の太さ、硬さなどの物性が類似しているものを使用すれば、そのブラシの本来の用途が阻害されることがないものなる。
【００１５】
そして、ブラシ毛１と静電気除去繊維２を均一に混ぜ合わせた毛束３とするには、先ず、動物毛、合成樹脂毛などブラシの用途に応じたブラシ毛１の毛束を用意し、これを必要なサイズにカットする。そして、この毛束のサイズに合わせた静電気除去繊維２を用意し、これらを回転ドラムに入れて混ぜ合わせる。次に、回転ドラムから混ぜ合わせたものを取り出し、手加工または機械加工で再び毛束にする。この毛束を小分けにし、突出した毛を取り除けば毛束３とすることができる。また、前記静電気除去繊維２は、毛束と同寸法のものを用意しなくても、この静電気除去繊維２を混ぜ合わせてから同寸法にカットしてもよい。なお、前記毛束３とするには、このような方法で行わなくてもその他任意の方法で行ってもよいのはいうまでもない。
【００１６】
前記静電気除去繊維２のブラシ毛１への配合率は、約１〜５０重量％としている。静電気除去繊維２の配合率を約１重量％より小さくすると、静電気除去効果が極端に低下するので好ましくなく、また静電気除去繊維２の配合率を約５０重量％より大きくすると、本来のブラシ機能が損なわれると共に、静電気除去効果の向上も余り見られず、また静電気除去繊維２が高価であり、これがブラシ自体の価格に跳ね返るので好ましくない。
【００１７】
毛束３は、毛数が約１０〜１００本程度、毛長が約５〜１００ｍｍ程度とすることができるが、衣服用、ＯＡ機器用、車用、ペット動物用、家具用など、ブラシの用途に応じてその毛数、毛長を適宜調節すればよい。
【００１８】
ブラシ台４は、硬質の合成樹脂製としたり、木製などとすることができ、通常は把持部４ａを有したものとしているが、ブラシの用途によっては把持部４ａを有していなくてもよい。また、把持部４ａは、図１に示したようにブラシ台４と一体として設けたものであっても、図３に示したようにブラシ台４と別体として折り畳み自在に設けたものであってもよい。
【００１９】
そして、前記毛束３をブラシ台４の複数個所に適宜間隔をおいて植設したものとするには、前記毛束３をブラシ台４に３列〜５列程度の縦並びの複数列、または列とせず無作為に、２〜１０ｍｍ程度の間隔をおいて植設すればよいが、ブラシの用途に応じて適宜調節することができる。なお、前記毛束３は、ブラシ台４に直に植設したものとしても、ゴム製のマットなどを介在させてブラシ台４に間接的に植設したものとしてもよい。
【００２０】
なお、この考案におけるブラシ台４は、毛束３を保持できるものであればどのようなものであってもよく、例えば毛束３を出入れ可能として保持できるようにした筒状体などとすることもできる。また、ブラシ台４の材質は、天然ゴムや合成樹脂エラストマーの他、天然木材や人工木材などとすることができる。
【００２１】
以上のように構成したこの考案の静電気除去ブラシを用いて、例えば衣服についた塵埃や髪の毛などを取り除くには、次のようにして行なう。
【００２２】
先ず、この考案の静電気除去ブラシを用いて衣服にブラシ掛けすると、静電気除去繊維２と衣服との間にコロナ放電が効果的に発生し、これにより衣服に帯びていた静電気と、ブラシ掛けで発生した静電気が除去される。すると、静電気の影響で衣服にしっかりと付いていた塵埃や髪の毛などが取り易くなり、この取り易くなった塵埃や髪の毛などは毛束３によって払い落とされる。この場合、この考案の静電気除去ブラシでは、ブラシ毛１の衣服への接触と同時に静電気除去繊維２の衣服への接触が行なわれるので、従来の静電気除去ブラシのように静電気除去繊維２が衣服に接触した後のブラシ毛１の衣服への接触によって再び静電気が発生することはない。なお、ブラシ毛１は衣服の生地に適した毛質のものを用いれば衣服を傷めることなくしっかりと塵埃や髪の毛などを払い落とすことができる。
【００２３】
そして、塵埃や髪の毛などが払い落とされた衣服は、同時に静電気も除去されているので、空中に漂っている塵埃や髪の毛なども寄せ付けず、塵埃や髪の毛などが付き難いものなる。
【図面の簡単な説明】
【００２４】
【図１】この考案の静電気除去の一実施形態を示す斜視図である。
【図２】図１に示すこの考案の静電気除去ブラシの部分拡大図である。
【図３】この考案の静電気除去ブラシの他の実施形態を示す斜視図である。
【図４】図３に示すこの考案の静電気除去ブラシの部分拡大面である。
【図５】この考案の静電気除去ブラシのさらに他の実施形態を示す斜視図である。
【図６】この考案の静電気除去ブラシのさらに他の実施形態を示す部分拡大面である。
【図７】従来の静電気除去ブラシの一例を示す斜視図である。
【図８】従来の静電気除去ブラシの他の例を示す斜視図である。
【図９】従来の静電気除去ブラシのさらに他の例を示す斜視図である。
【符号の説明】
【００２５】
１  ブラシ毛
２  静電気除去繊維
３  毛束
４  ブラシ台
【図１】
0003110513.tif 000003
【図２】
0003110513.tif 000004
【図３】
0003110513.tif 000005
【図４】
0003110513.tif 000006
【図５】
0003110513.tif 000007
【図６】
0003110513.tif 000008
【図７】
0003110513.tif 000009
【図８】
0003110513.tif 000010
【図９】
0003110513.tif 000011